(57)【要約】  呼吸装置と、タッチスクリーンユニットと、処理ユニットとを含むシステムを開示する。第１のコンテンツ（３０）は、タッチスクリーンの第１の画面位置（３０）に表示される。第１の画面位置（３１）における１つ以上のジェスチャーからなるジェスチャー（３５）を含むユーザ入力により、第１のコンテンツ（３０）に関連する第２のコンテンツが、ジェスチャー（３５）および第１のコンテンツ（３０）に依存して、選択および表示される。第１のコンテンツ（３０）は、タッチスクリーン上でのユーザ選択により第２のコンテンツを作動するように構成されたアイコン、ソフトボタンまたはメニューからなるリストに含まれる表示などの第２のコンテンツの表示を有さない。
2015523641.tif 000002
【特許請求の範囲】
【請求項１】
システムであって、前記システムは、呼吸装置と、ユーザの前記呼吸装置との対話のためのタッチスクリーンと、前記タッチスクリーンに動作上接続された処理ユニットとを含み、前記処理ユニットは、
前記タッチスクリーンの第１の画面位置において少なくとも第１のコンテンツを表示し、
前記第１の画面位置における１つ以上のジェスチャーからなるジェスチャーを含むユーザ入力を受信し、
前記ジェスチャーおよび前記第１のコンテンツに依存して前記第１のコンテンツに関連する第２のコンテンツを選択し、
前記第１の画面位置を少なくとも一部含む画面位置において前記タッチスクリーンに前記第２のコンテンツを提供するように構成され、
前記第１のコンテンツは、前記タッチスクリーン上でのユーザ選択により前記第２のコンテンツを作動するように構成されたアイコン、ソフトボタンまたはメニューからなるリストに含まれる表示などの前記第２のコンテンツの表示を有さない、システム。
【請求項２】
前記ジェスチャーは、タップ＆ホールドジェスチャーであり、前記処理ユニットは、前記タップ＆ホールドジェスチャーのホールド時間部分が予め規定された時間長さのしきい値を超えると、前記第２のコンテンツを提供するように構成された、請求項１に記載のシステム。
【請求項３】
前記しきい値は、前記第１のコンテンツに依存する、請求項２に記載のシステム。
【請求項４】
前記処理ユニットは、前記ホールド時間中、経過したホールド時間および前記しきい値に達するまでの時間を図示する視覚的フィードバックを前記ユーザに提供するように構成された、請求項２または３に記載のシステム。
【請求項５】
前記処理ユニットは、前記しきい値を超えたとき、安全重大機能へのユーザのアクセスを提供するように構成された、請求項４または５に記載のシステム。
【請求項６】
前記タッチスクリーンに隣接する領域は、前記第１のコンテンツに関連付けられたボタンを有さない、および／または、少なくとも前記第１の画面位置は、ソフトボタンがない、請求項１から５のいずれか１項に記載のシステム。
【請求項７】
前記処理ユニットは、前記ユーザによる前記第２のコンテンツを表示する承認により、前記第２のコンテンツを提供するように構成された、請求項１から６のいずれか１項に記載のシステム。
【請求項８】
前記ジェスチャーは、タップジェスチャーである、請求項１に記載のシステム。
【請求項９】
前記第１のコンテンツは、
換気方針インジケータ、
換気パラメータの曲線、
通常操作中の換気パラメータの計量、
換気パラメータの警告限界値を越えたときの換気パラメータの計量、
Ｏ２放出機能インジケータ（１００％Ｏ２）、
Ｏ２増大機能インジケータ（調整可能Ｏ２％）、
進行中の換気を停止させるためなどの前記呼吸装置の安全重大機能のための制御インジケータ、および／または、
泡の記号などの記号、
からなるリストに含まれる、請求項１から８のいずれか１項に記載のシステム。
【請求項１０】
前記第２のコンテンツは、
換気パラメータ、換気パラメータの曲線、または呼吸モードなどの前記呼吸装置の操作的パラメータを調整するためのグラフィカルインターフェイス、
少なくとも１つの換気パラメータについての短い傾向曲線、
目盛りのための調整モード、および／またはレイアウト、
警告限界値の調整のためのグラフィカルインターフェイス、
１つ以上の換気パラメータの少なくとも１つのグラフィカルループ、
各表示領域についての異なるユーザ対話モードでの前記操作的パラメータのユーザ変更のための少なくとも２つの表示領域を含む、前記呼吸装置の少なくとも１つの操作的パラメータの変更のためのグラフィカルインターフェイス、
からなるリストに含まれる、請求項１から９のいずれか１項に記載のシステム。
【請求項１１】
前記ジェスチャー、前記第１のコンテンツおよび前記第２のコンテンツは、
警告中のタップ、計量または曲線、警告調整、
タップ＆ホールド、曲線、前記曲線についての構成モード、
からなるリストに含まれる、請求項１から１０のいずれか１項に記載のシステム。
【請求項１２】
呼吸装置を内部制御する方法であって、前記呼吸装置は、ユーザの前記呼吸装置との対話のためのタッチスクリーンを有し、前記方法は、
前記タッチスクリーンの第１の画面位置において少なくとも第１のコンテンツを表示するステップと、
前記第１の画面位置における１つ以上のジェスチャーからなるジェスチャーを含むユーザ入力を受信するステップと、
前記ジェスチャーおよび前記第１のコンテンツに依存して、前記第１のコンテンツと異なり、かつ各ジェスチャー毎に異なる第２のコンテンツを選択するステップと、
前記タッチスクリーンに前記第２のコンテンツを表示するステップとを含み、
前記第１のコンテンツは、前記タッチスクリーンでのユーザ選択により、前記第２のコンテンツを作動するように構成されたアイコン、ソフトボタンまたはメニューからなるリストに含まれる表示などの前記第２のコンテンツの表示を有さない、方法。
【請求項１３】
前記ジェスチャーは、タップ＆ホールドジェスチャーであり、前記タップ＆ホールドジェスチャーのホールド時間部分が予め規定された時間長さのしきい値を超えると、前記第２のコンテンツを提供し、かつ、任意に、前記ホールド部分中、経過したホールド時間および前記しきい値に達するまでの時間を図示する視覚的フィードバックを前記ユーザに提供し、前記しきい値は、好ましくは前記第１のコンテンツに依存する、請求項１２に記載の方法。
【請求項１４】
前記しきい値を超えたとき、安全重大機能へのユーザアクセスを提供するステップを含む、請求項１３に記載の方法。
【請求項１５】
指令が格納されたコンピュータ読取可能記憶媒体であって、前記指令は、１つ以上のプロセッサにより実行されると、呼吸装置を含むシステムのタッチスクリーンを介してユーザ通信を提供するための操作を行ない、前記指令は、
前記タッチスクリーンの第１の画面位置において少なくとも第１のコンテンツを表示することと、
前記第１の画面位置における１つ以上のジェスチャーからなるジェスチャーを含むユーザ入力を検知することと、
前記ジェスチャーおよび前記第１のコンテンツに依存して、前記第１のコンテンツと異なり、かつ各ジェスチャー毎に異なる第２のコンテンツを選択することと、
前記タッチスクリーンに前記第２のコンテンツを提供することとを含み、
前記第１のコンテンツは、前記タッチスクリーンでのユーザ選択により、前記第２のコンテンツを作動するように構成されたアイコン、ソフトボタンまたはメニューからなるリストに含まれる表示などの前記第２のコンテンツの表示を有さない、コンピュータ読取可能記憶媒体。
【発明の詳細な説明】
【技術分野】
【０００１】
発明の背景
発明の分野
本開示は、一般的に、グラフィカルユーザインターフェイス（ＧＵＩｓ）を提供するためのディスプレイを有する、患者を換気するための呼吸システムの分野に関する。より特定的には、本開示は、呼吸装置と、ユーザの上記呼吸装置との対話のための上記ＧＵＩを有するタッチスクリーンとを含む呼吸システムに関する。
【背景技術】
【０００２】
背景技術の説明
この章は、以下に説明するおよび／またはクレームする本開示のさまざまな局面に関連し得る技術のさまざまな局面を読者に紹介することを目的とする。この説明は、読者に背景情報を提供し、本開示のさまざまな局面のよりよい理解を容易にするのに有用であると考えられる。したがって、これらの記述は、先行技術の記載としてでなく、このような趣旨で読まれるべきであると理解されたい。
【０００３】
１９９０年代に紹介されたSiemens-ElemaのServo Ventilator ３００のような従来の呼吸装置は、装置を操作するための数多くの回転式ノブを有していた。ノブの各々は、専用の機能を有しているため、装置は、装置の操作を調整するための可能性の数が限られていた。２１世紀の初期には、一部の呼吸装置にタッチスクリーンが導入された。しかしながら、これらの装置は、ある機能への直接的なアクセスを有する、装置の操作の調整のためのノブ、ボタンまたはハンドルを未だ有していた。次第に、機能および可能な調整の数が増加し、ノブの数が減少され、一部の場合には、ノブは今日入手可能な呼吸装置から完全に排除されている。
【０００４】
しかしながら、ノブ、ハンドルなどのようなハードウェア調整要素が排除されたことにより、このような呼吸装置は、臨床操作において望まれる、ある機能への直接的なアクセスが欠けている。さらに、タッチスクリーンを含む既知の呼吸装置は、若干複雑なＧＵＩを有しており、改善の余地がある。このようなＧＵＩは、たとえば、複雑なメニュー構成を含み、オペレータはメニュー構成内を移動しなくてはならない。メニュー構成は、本来予めプログラムされた選択肢に限定される。これは、メニューに慣れておらず、どのようなサブメニューが奥に隠されているかを知らない呼吸装置のユーザにとっては複雑であり得る。臨床環境においては、ユーザの呼吸装置との迅速かつ安全な対話の必要性がある。臨床ユーザのＧＵＩにおける調整の見つけにくさを回避するには、関連し、かつ所望の調整への迅速なアクセスが有利であろう。
【発明の概要】
【発明が解決しようとする課題】
【０００５】
発明の概要
したがって、本開示の実施形態は、好ましくは、添付の特許請求項に係るシステム、方法などを提供することにより、単一でまたは任意の組合せで、上記のような先行技術の１つ以上の欠陥、欠点または課題を軽減、緩和または排除することを目的とする。
【課題を解決するための手段】
【０００６】
本開示のある局面によると、システムが提供される。システムは、呼吸装置と、ディスプレイユニットと、ディスプレイユニットに動作上接続された処理ユニットを含む。
【０００７】
システムのディスプレイユニットは、ユーザの呼吸装置との対話のためのタッチスクリーンである。処理ユニットは、タッチスクリーンの第１の画面位置において少なくとも第１のコンテンツを表示するように構成される。さらに、処理ユニットは、第１の画面位置における１つ以上のジェスチャーからなるジェスチャーを含むユーザ入力を受信するように構成される。さらに、処理ユニットは、ジェスチャーおよび第１のコンテンツに依存して第１のコンテンツに関連する第２のコンテンツを選択するように構成される。さらに、処理ユニットは、第１の画面位置を少なくとも一部含む画面位置においてタッチスクリーンに第２のコンテンツを提供するように構成される。第１のコンテンツは、タッチスクリーン上でのユーザ選択により第２のコンテンツを作動するように構成されたアイコン、ソフトボタンまたはメニューからなるリストに含まれる表示などの第２のコンテンツの表示を有さない。アイコンは、境界線または枠および境界線または枠の画定内の記号を有し、記号は、アイコンを押しているときに得られるべきある機能を識別する。オペレータは、アイコンを「読取る」必要がある。特に、数多くのアイコンが限定された画面領域に提示された場合、メニュー構成と同じ課題が生じる。すなわち、オペレータは、臨床環境において混乱しやすいおそれがある。このような混乱は、特定の状況下で呼吸装置を操作する際にエラーにつながるおそれがあり、望ましくない。
【０００８】
反対に、境界線を有さない記号は、第１の画面位置において提示されてもよく、ジェスチャーは、曲線などの記号または関連コンテンツにおけるまたはこれに隣接する画面位置で行なわれてもよい。したがって、所望の操作を識別し、そのためのアイコンを叩く必要性が不要となる。
【０００９】
このように、複雑なメニュー構成の代わりに、望ましい調整または特定の追加情報への迅速かつ安全なアクセスが提供される。
【００１０】
本開示のいくつかの例は、あるビューから別のビューへのより速い移動を可能にしてもよい。
【００１１】
ユーザにとって何の問題もなしに、表示されたコンテンツに関連する非表示コンテンツへの直接的なアクセスが提供される。これは、特に、ユーザが患者に注目する必要のある多くの臨床的状況下で特に有利となる。非表示コンテンツは、第２のコンテンツとして表示されるコンテンツに関連するが、第１のコンテンツが表示されているときにはユーザに表示されないまたはアクセス可能でない。
【００１２】
一例としては、計量および／または曲線として表示される換気パラメータをいくつか有するまたは全く有さない画面ビューから、第１の画面ビューよりも多くの計量および／または曲線を有する別の画面ビューに切換えることである。これは、本出願と同じ出願人のＰＣＴ／ＥＰ２０１２／０６１９０１に詳述されており、この文献は、あらゆる目的のためにその全体が本明細書中で援用される。特に、ＰＣＴ／ＥＰ２０１２／０６１９０１の請求項１１および関連する説明段落ならびに図を参照する。したがって、より容易でかつ使いやすいユーザインターフェイス、および／または、あるビューから別のビューへのより速い移動が達成される。
【００１３】
さらに、操作上および／または患者の安全へのアクセスが増大する。呼吸装置は、臨床オペレータにより安全に制御される。たとえば、安全重大調整は、一例では、安全しきい値時間を超えるある時間の間のタップ＆ホールドなど、特定のジェスチャーによってのみアクセス可能であってもよい。さらに、呼吸装置のある機能にアクセスするには、オペレータによるさらなる承認が必要とされてもよい。
【００１４】
ユーザは、オペレータの入力により、第１のコンテンツに関連する正確なかつ所望の反応を直感的に得る。
【００１５】
本開示の一部の例は、より簡易で、使いやすく、かつよりユーザフレンドリーなユーザインターフェイスを可能にする。
【００１６】
本開示の一部の例は、第１のコンテンツにおいてメニュー、ソフトボタンなどのために表示領域を無駄にしないため、情報の最適な量が表示され得ることを可能にする。
【００１７】
本開示の一部の例は、安全上重大な機能が誤って容易に作動されることができないようにすることも可能である。したがって、一部の実施形態は、システムの向上された安全を可能にしてもよい。
【００１８】
本開示の一部の例では、ジェスチャーは、タップ＆ホールドジェスチャーであり、処理ユニットは、タップ＆ホールドジェスチャーのホールド時間部分が予め規定された時間長さのしきい値を超えると、第２のコンテンツを提供するように構成される。
【００１９】
さらに、調整のためなどのあるモードに入るために一定時間の間のタップ＆ホールドなどの特定のジェスチャーが必要となるため、呼吸装置の不意の調整が回避される。タッチスクリーンを偶発的に触ってしまったことによる不意の調整が防止され得る。このようなタッチスクリーンの偶発的な接触は、臨床環境において起きるおそれがあるため、呼吸装置の操作パラメータの不要なまたは不意の調整による直接的な影響がない。
【００２０】
さらに、ソフトボタンが回避される。ソフトボタンは、タッチスクリーン上のソフトボタンを押すと行なわれるべき機能を識別するボタン上のテキストメッセージを含む。しかしながら、オペレータは、ボタン上のテキストを読み、ボタンを押すとどのようなアクションが行なわれるかを識別しなくてはならない。これは、背景技術の章において述べたメニュー構成と同様の欠点を有する。したがって、本開示は、より混乱の少ないＧＵＩを可能にする。これは臨床的利点である。
【００２１】
本開示の一部の例では、処理ユニットは、ユーザによる第２のコンテンツを表示する承認により、第２のコンテンツを提供するように構成される。ユーザの承認を要求する第２のコンテンツの表示の作動の承認のおかげで、操作安全がさらに増大する。
【００２２】
本開示の一部の例では、タップ＆ホールドジェスチャーのホールド部分のしきい値時間長さは、第１のコンテンツに依存する。このように、操作安全をさらに増大させることができる。より重大でない他のコンテンツを有する他の画面領域よりもより重大な操作上の調整を必要とするまたはこれにつながる第１のコンテンツを有する画面部分は、調整を入力するのにより長い時間が必要となり得る。したがって、このような第１のコンテンツを表示する画面領域については、偶発的な調整がより一層困難となる。
【００２３】
本開示の一部の例では、処理ユニットは、ホールド部分中、経過したホールド時間およびしきい値に達するまでの時間を図示する視覚的なフィードバックをユーザに提供するように構成される。
【００２４】
本開示の一部の例では、処理ユニットは、しきい値に達したとき、安全重大機能へのユーザアクセスを提供するように構成される。
【００２５】
本開示の一部の例では、タッチスクリーンに隣接する領域は、第１のコンテンツに関連するボタンを有さない、および／または、少なくとも第１の画面位置は、１つ以上のソフトボタンがない。
【００２６】
本開示の一部の例では、ジェスチャーは、タップジェスチャーである。
本開示の一部の例では、第１のコンテンツは、換気方針インジケータ、換気パラメータの曲線、通常操作中の換気パラメータの計量、換気パラメータの警告限界値を越えたときの換気パラメータの計量、Ｏ２放出機能インジケータ（１００％Ｏ２）、Ｏ２増大機能インジケータ（調整可能Ｏ２％）、または、進行中の換気を停止させるためなどの呼吸装置の安全重大機能のための制御インジケータ、および／または、たとえば、リーク補償に関連する泡の記号などの記号からなる非網羅的なリストに含まれる。
【００２７】
本開示の一部の例では、第２のコンテンツは、換気パラメータ、換気パラメータの曲線、または呼吸モードなどの呼吸装置の操作パラメータを調整するためのグラフィカルインターフェイス、少なくとも１つの換気パラメータについての短い傾向曲線、目盛りのための調整モード、レイアウトなど、警告限界値の調整のためのグラフィカルインターフェイス、１つ以上の換気パラメータの少なくとも１つのグラフィカルループ、各表示領域についての異なるユーザ対話モードでの操作パラメータのユーザ変更のための少なくとも２つの表示領域を含む、呼吸装置の少なくとも１つの操作パラメータの変更のためのグラフィカルインターフェイス、呼吸回路のリーク補償を図示する図形などの呼吸装置の特定の機能を図示する図形、ヘルプテキストおよび／もしくはイラスト、ならびに／または、ヘルプテキストおよび／または曲線形の定義からなるリストに含まれる。
【００２８】
各表示領域についての異なるユーザ対話モードでの操作パラメータのユーザ変更のための少なくとも２つの表示領域を含む、呼吸装置の少なくとも１つの操作パラメータの変更のためのグラフィカルインターフェイスは、本出願と同じ出願人のＰＣＴ／ＥＰ２０１２／０６０４５４に詳述されており、この文献は、あらゆる目的のためにその全体が本明細書中に援用される。
【００２９】
本開示の一部の例では、ジェスチャー、第１のコンテンツおよび第２のコンテンツは、警告中のタップ、計量または曲線、警告調整、および、タップ＆ホールド、曲線、曲線についての構成モードからなる非網羅的なリストに含まれる。
【００３０】
本開示の第２の局面によると、呼吸装置を内部制御する方法が開示される。ユーザの呼吸装置との対話のためのタッチスクリーンは、タッチスクリーンの第１の画面位置において少なくとも第１のコンテンツを表示するために制御される。さらに、方法は、第１の画面位置における１つ以上のジェスチャーからなるジェスチャーを含むユーザ入力を受信するステップを含む。方法は、ジェスチャーおよび第１のコンテンツに依存して、第１のコンテンツと異なり、かつ各ジェスチャー毎に異なる第２のコンテンツを選択するステップを含む。さらに、方法は、タッチスクリーンに第２のコンテンツを提供するステップを含む。
【００３１】
本開示の一部の例では、ジェスチャーは、タップ＆ホールドジェスチャーであり、タップ＆ホールドジェスチャーのホールド時間部分が予め規定された時間長さのしきい値を超えると、第２のコンテンツを表示し、かつ、任意に、ホールド部分中、経過したホールド時間およびしきい値に達するまでの時間を図示する視覚的フィードバックをユーザに提供し、しきい値は、好ましくは第１のコンテンツに依存する。
【００３２】
本開示の一部の例では、方法は、しきい値を超えたとき、安全重大機能へのユーザアクセスを提供するステップを含む。
【００３３】
本開示のさらに別の局面によると、１つ以上の処理ユニット、特に、呼吸システムの処理ユニットにより処理されるための、コンピュータプログラムが具現化されたコンピュータ読取可能記憶媒体が開示される。この目的のために、コンピュータ読取可能記憶媒体は、指令が格納されており、指令は、処理ユニットにより実行されると、呼吸装置を含む呼吸システムのタッチスクリーンを介してユーザ通信を提供するための操作を行なう。指令は、タッチスクリーンの第１の画面位置において少なくとも第１のコンテンツを表示することと、第１の画面位置における１つ以上のジェスチャーからなるジェスチャーを含むユーザ入力を検知することと、ジェスチャーおよび第１のコンテンツに依存して、第１のコンテンツと異なり、かつ各ジェスチャー毎に異なる第２のコンテンツを選択することと、タッチスクリーンに第２のコンテンツを提供することとを含む。
【００３４】
発明のさらなる実施形態は、従属クレームにおいて規定され、発明の第２の局面およびそれ以降の局面についての特徴は、第１の局面について準用される。
【００３５】
「含む（comprises/comprising）」という用語が本明細書で用いられるとき、これは、記載された特徴、整数、ステップまたは部品の存在を特定するとして解釈されるが、１つ以上の他の特徴、整数、ステップ、部品またはこれらの群の存在または追加を排除するものではない。
【図面の簡単な説明】
【００３６】
【図１】例示的な呼吸システムの概略図である。
【図２】方法の一例を図示するフローチャートである。
【図３】コンピュータ読取可能媒体の一例の概略図である。
【図４Ａ】上記第１のコンテンツ上でのジェスチャーを含むユーザ対話による、第１のコンテンツおよび第２のコンテンツを有する呼吸システムのディスプレイのＧＵＩの一部の例の概略図である。
【図４Ｂ】上記第１のコンテンツ上でのジェスチャーを含むユーザ対話による、第１のコンテンツおよび第２のコンテンツを有する呼吸システムのディスプレイのＧＵＩの一部の例の概略図である。
【図４Ｃ】図４Ａの一部の拡大図である。
【図５Ａ】上記第１のコンテンツ上でのジェスチャーを含むユーザ対話による、第１のコンテンツおよび第２のコンテンツを有する呼吸システムのディスプレイのＧＵＩの一部の例の概略図である。
【図５Ｂ】上記第１のコンテンツ上でのジェスチャーを含むユーザ対話による、第１のコンテンツおよび第２のコンテンツを有する呼吸システムのディスプレイのＧＵＩの一部の例の概略図である。
【図６Ａ】上記第１のコンテンツ上でのジェスチャーを含むユーザ対話による、第１のコンテンツおよび第２のコンテンツを有する呼吸システムのディスプレイのＧＵＩの一部の例の概略図である。
【図６Ｂ】上記第１のコンテンツ上でのジェスチャーを含むユーザ対話による、第１のコンテンツおよび第２のコンテンツを有する呼吸システムのディスプレイのＧＵＩの一部の例の概略図である。
【図７Ａ】上記第１のコンテンツ上でのジェスチャーを含むユーザ対話による、第１のコンテンツおよび第２のコンテンツを有する呼吸システムのディスプレイのＧＵＩの一部の例の概略図である。
【図７Ｂ】上記第１のコンテンツ上でのジェスチャーを含むユーザ対話による、第１のコンテンツおよび第２のコンテンツを有する呼吸システムのディスプレイのＧＵＩの一部の例の概略図である。
【図８Ａ】上記第１のコンテンツ上でのジェスチャーを含むユーザ対話による、第１のコンテンツおよび第２のコンテンツを有する呼吸システムのディスプレイのＧＵＩの一部の例の概略図である。
【図８Ｂ】上記第１のコンテンツ上でのジェスチャーを含むユーザ対話による、第１のコンテンツおよび第２のコンテンツを有する呼吸システムのディスプレイのＧＵＩの一部の例の概略図である。
【図９Ａ】上記第１のコンテンツ上でのジェスチャーを含むユーザ対話による、第１のコンテンツおよび第２のコンテンツを有する呼吸システムのディスプレイのＧＵＩの一部の例の概略図である。
【図９Ｂ】上記第１のコンテンツ上でのジェスチャーを含むユーザ対話による、第１のコンテンツおよび第２のコンテンツを有する呼吸システムのディスプレイのＧＵＩの一部の例の概略図である。
【図１０Ａ】上記第１のコンテンツ上でのジェスチャーを含むユーザ対話による、第１のコンテンツおよび第２のコンテンツを有する呼吸システムのディスプレイのＧＵＩの一部の例の概略図である。
【図１０Ｂ】上記第１のコンテンツ上でのジェスチャーを含むユーザ対話による、第１のコンテンツおよび第２のコンテンツを有する呼吸システムのディスプレイのＧＵＩの一部の例の概略図である。
【図１１Ａ】上記第１のコンテンツ上でのジェスチャーを含むユーザ対話による、第１のコンテンツおよび第２のコンテンツを有する呼吸システムのディスプレイのＧＵＩの一部の例の概略図である。
【図１１Ｂ】上記第１のコンテンツ上でのジェスチャーを含むユーザ対話による、第１のコンテンツおよび第２のコンテンツを有する呼吸システムのディスプレイのＧＵＩの一部の例の概略図である。
【発明を実施するための形態】
【００３７】
好ましい実施形態の説明
以下、発明の特定の実施形態を添付の図面を参照して説明する。しかしながら、この発明は、多くの異なる形態で具現化されてもよく、ここに記載される実施形態に限定されるとして解釈されるべきではない。むしろ、これらの実施形態は、本開示が十分かつ完全となり、当業者に本発明の範囲を十分に伝えるように設けられる。添付の図面に図示する実施形態の詳細な説明で用いられる用語は、発明を限定することを意図するものではない。図中、同一の番号は同一の要素を指す。
【００３８】
本開示は、オペレータが、選択された画面領域上に示されるものに関連するコンテンツに直感的に達する方法およびシステムについての例を提供する。画面上のコンテンツは、どのようなタイプの特定のユーザ入力、すなわち、ジェスチャーが、ＧＵＩの特定のコンテンツのために受付けられるかを制御する。特定のコンテンツが表示される正確な画面領域は無関係である。特定のコンテンツが表示される画面領域上で呼吸装置のオペレータにより行なわれるジェスチャーに依存して、可能なアクションを制御するのは、コンテンツである。
【００３９】
画面領域は、予め規定された枠内領域内のように、正確である必要はないが、第１のコンテンツにおけるまたはこれに隣接する画面領域である。したがって、本開示は、特定のボタンを探す必要性なく、むしろ、特定のジェスチャーにより特定の第１のコンテンツが接触され、第１のコンテンツに関連する所望の第２のコンテンツへのアクセスを得て、ユーザに所望のアクションを提供することにより、より耐性のあるユーザ入力を可能にする。
【００４０】
図１は、例示的な呼吸システム１の概略図である。システム１は、呼吸装置２と、ディスプレイユニット３と、ディスプレイユニットに動作上接続された処理ユニット４とを含む。
【００４１】
システムのディスプレイユニット３は、ユーザ５の呼吸装置１との対話のためのタッチスクリーンを含む。処理ユニット４は、タッチスクリーンの第１の画面位置３１において少なくとも第１のコンテンツ３０を表示するように構成される。さらに、処理ユニットは、第１の画面位置３１における１つ以上のジェスチャーからなるジェスチャー３５を含むユーザ入力を受信するように構成される。
【００４２】
さらに、処理ユニット４は、ジェスチャーおよび第１のコンテンツ３０に依存して第１のコンテンツに関連する第２のコンテンツ４０を選択するように構成される。このように、呼吸装置は、臨床オペレータにより安全に制御される。たとえば、安全重大調整は、一例では、安全しきい値時間を超えるある時間の間のタップ＆ホールドなどの特定のジェスチャーによってのみアクセス可能であってもよい。さらに、呼吸装置のある機能にアクセスするためには、オペレータによるさらなる承認が必要であってもよい。
【００４３】
さらに、処理ユニット４は、好ましくは、第１の画面位置３１を少なくとも一部含む画面位置において、タッチスクリーンに第２のコンテンツ４０を提供するように構成される。
【００４４】
第１のコンテンツ３０は、タッチスクリーン上でのユーザ選択により第２のコンテンツを作動するように構成されたアイコン、ソフトボタンまたはメニューからなるリストに含まれる表示などの第２のコンテンツ４０の表示を有さない。
【００４５】
図２は、呼吸装置１を内部制御する方法１００の一例を図示するフローチャートである。ユーザ５の呼吸装置１との対話のためのタッチスクリーンを含むディスプレイユニット３は、タッチスクリーンの第１の画面位置３１において少なくとも第１のコンテンツ３０を表示するために制御される。さらに、方法は、タッチスクリーン上でユーザ入力を受信するステップ１０１を含む。ユーザ入力は、ユーザがタッチスクリーンに触れることにより行なわれ、第１の画面位置３１における１つ以上のジェスチャーからなるジェスチャー３５を含む。方法１００は、ジェスチャー３５および第１のコンテンツ３０に依存して、第１のコンテンツ３０と異なり、かつ各ジェスチャー３５毎に異なる第２のコンテンツ４０を選択するステップ１０２を含む。さらに、方法は、タッチスクリーンに第２のコンテンツ４０を提供するステップ１０３を含む。
【００４６】
図４Ａおよび図４Ｂには、換気方針インジケータの図形による視覚化が、第１の画面領域３１において図示される。図４Ａには、概略的に図示されたオペレータのジェスチャー３５を含むユーザ入力とともに、第１のコンテンツが図示される。
【００４７】
上記のように、特定の第１のコンテンツが表示される画面領域上で呼吸装置のオペレータにより行なわれるジェスチャーに依存して、可能なアクションを制御するのは、第１のコンテンツである。入力は、オペレータを正確な所望の第２のコンテンツへと直感的に導く。さらに、どこに触れるべきか正確な画面位置は重大ではない。むしろ、第１のコンテンツ３０における第１の画面領域３１が、コンテンツのどこかまたはこれに隣接して触れられればよい。たとえば、図４Ａに図示されるように、方針インジケータは、オペレータの指によりその中央が叩かれる必要はない。したがって、本開示は、特定のボタンを探す必要性なく、むしろ、特定のジェスチャーにより特定の第１のコンテンツが接触され、第１のコンテンツに関連する所望の第２のコンテンツへのアクセスを得て、ユーザに所望のアクションを提供することにより、耐性のあるユーザ入力を可能にする。
【００４８】
ここで、図４Ｂに図示されるように、所定のホールド部分時間のタップ＆ホールドジェスチャーを介して提供される第２のコンテンツが、編集モードとして例に図示される。
【００４９】
ジェスチャーは、異なる第２のコンテンツにつながる異なるジェスチャーであってもよい。たとえば、簡易なタップは、ヘルプウインドウなどの異なる第２のコンテンツにつながってもよい。
【００５０】
別の例としては、しきい値時間未満のホールド時間のタップ＆ホールドであり、これは、タップ＆ホールドジェスチャーについての情報ウインドウなどにつながってもよい。単純なタップによっては、アクションが取られなくてもよく、または、第２のコンテンツにアクセスするためにはタップ＆ホールドが必要であるとのヘルプテキストが表示されてもよい。さらに、タップ＆ホールドジェスチャーのホールド部分の時間長さは、異なる時間長さについて異なる第２のコンテンツと関連付けられてもよい。時間長さが長くなるとともに、たとえば、より重大な調整モードが入力されてもよい。このような第２のコンテンツの時間長さに対するずらされた依存性の例としては、ヘルプメニュー、および画面レイアウト調整のための編集モード、警告限界値調整モードなどであり得る。
【００５１】
本例の換気方針インジケータは、呼吸装置２により換気される患者についての換気方針の少なくとも１つの換気に関連するパラメータについての目標表示と、目標表示に対する少なくとも１つの換気に関連するパラメータの往復運動動画との組合せを含む。この種の換気方針インジケータは、本出願と同じ出願人のＰＣＴ／ＥＰ２０１３／０５３０７３に詳述されており、この文献は、あらゆる目的のためにその全体が本明細書中に援用される。
【００５２】
本開示の中でもとりわけ、図４Ａに図示される例では、ジェスチャー３５は、タップ＆ホールドジェスチャーである。第２のコンテンツ４０は、図４Ｂに図示されるように提供される。タップ＆ホールドジェスチャーは、ユーザ５が第１の画面位置においてタッチスクリーンに触れることで開始する。ユーザは、タップ＆ホールドジェスチャーのホールド時間部分の間、実質的に同じ位置においてタッチスクリーン表面との接触を維持する。ホールド時間は、予め規定された時間長さのしきい値時間を超えなくてはならない。すなわち、ユーザは、タッチスクリーンとの接触を解除する前に接触を保たなければならない。
【００５３】
図４Ｃは、指先３６がジェスチャー３５のためにタッチスクリーンに接触する位置における図４Ａの一部の拡大図である。
【００５４】
タップがオペレータに表示されたフィードバックインジケータ３８として認識される視覚的フィードバックが、ユーザに提供される。本例では、フィードバックインジケータ３８は完全な円として図示される。インジケータ３８は、曲線または直線のバー、砂時計などの他の形状を有してもよい。具体的な例としては、進行バーであり得る。進行バーは、第１の画面領域３１において表示されてもよい。進行バーは、規定の長さの直線のバーであり、しきい値時間に達し、第２のコンテンツ４０がアクセスされるまで、バーが長さに沿ってホールド時間で満たされる。インジケータ３８は、予め規定された時間のしきい値でアクションが行なわれる前に経過されるべき全時間長さを図示するための延長を有し、ここでは第２のコンテンツ４０への移行である。動画化部分３９は、現在経過した時間を示す。動画化部分は、たとえば、インジケータ３８の残りの部分と異なる階調または色の曲線または直線のバー部分であってもよい。したがって、ユーザは、しきい値時間に向かう時間が経過していること、さらに、しきい値時間に対して全時間のどれだけ多くの部分が経過し、それぞれしきい値時間に達するまで残っているかを同時に理解することができる。
【００５５】
しきい値時間は、予め規定され、メモリに格納されてもよい。しきい値時間は、第１のコンテンツ３０に依存してもよい。代替的に、または追加的に、しきい値時間は、第２のコンテンツ４０に依存してもよい。本開示の一部の例では、方法は、しきい値時間が超えたとき、安全重大機能へのユーザアクセスを提供するステップを含む。第２のコンテンツがより安全重大である、たとえば、アクセスされ、第２のコンテンツにおいて行なわれてもよい調整であるほど、時間しきい値がより長くなってもよい。
【００５６】
図４Ｂには、第２のコンテンツ４０が図示される。オペレータは、第２のコンテンツ４０へのアクセスを有する。
【００５７】
第２のコンテンツは、少なくとも第１のコンテンツを編集する操作モードであってもよい。ＧＵＩは、換気パラメータ、換気パラメータの曲線、または呼吸モードなどの呼吸装置の操作パラメータを調整するための第２のコンテンツにおける要素を含んでもよい。第２のコンテンツは、ソフトボタン、アイコンまたは他の入力ユニットを含んでもよい。
【００５８】
図４Ｂに図示される例では、第２のコンテンツは、このような編集モードとして図示される。図４Ｂの図示される例では、第２のコンテンツは、オペレータによる調整のために選択可能な第１のコンテンツの部分を含む。これらの部分は、調整またはさらなる情報またはアクションのために、たとえば、タップジェスチャーにより選択可能な画面領域の周りの枠により表示されてもよい。これらの部分は、たとえば、数値４１を調整するための１つ以上のフィールドを含む。枠内部分は、たとえば、ヘルプ画面にアクセスするためなどの１つ以上のアイコン４２を含む。枠内部分は、たとえば、編集モードを閉じるため、たとえば、第１のコンテンツに戻るための１つ以上のフィールド４３、４６を含む。これらの部分は、曲線の目盛り４４を調整するための１つ以上のフィールド、または、掃引速度もしくは曲線形状などの他の曲線に関連するパラメータ４５の調整のためのフィールドを含む。第２のコンテンツ４０において１つ以上のソフトボタン４７が提供されてもよい。たとえば、図６Ｂを参照。
【００５９】
第１のコンテンツと第２のコンテンツとの間の違いは、オペレータが、直感的でなく意図的に、第２のコンテンツをリクエストしたことである。オペレータのリクエストにより、オペレータの注意は第２のコンテンツに向けられ、ソフトボタン４７のような要素は、オペレータにより混乱するとして感知されない。
【００６０】
図３は、コンピュータ読取可能媒体２００の一例の概略図である。１つ以上の処理ユニット、特に、呼吸システムの処理ユニット４により処理されるための、コンピュータプログラム２１０が具現化されたコンピュータ読取可能記憶媒体２００が開示される。この目的のために、コンピュータ読取可能記憶媒体２００は、指令が格納されており、指令は、処理ユニット４により実行されると、呼吸装置２を含む呼吸システム１のタッチスクリーンを介してユーザ通信を提供するための操作を行なう。指令は、タッチスクリーンの第１の画面位置において少なくとも第１のコンテンツを表示する２０１ことと、第１の画面位置における１つ以上のジェスチャーからなるジェスチャーを含むユーザ入力を検知する２０２ことと、ジェスチャーおよび第１のコンテンツに依存して、第１のコンテンツと異なり、かつ各ジェスチャー毎に異なる第２のコンテンツを選択する２０３ことと、タッチスクリーンに第２のコンテンツを表示する２０４こととを含む。
【００６１】
図５Ａ、図５Ｂ、図６Ａ、図６Ｂ、図７Ａ、図７Ｂ、図８Ａ、図８Ｂ、図９Ａ、図９Ｂ、図１０Ａ、図１０Ｂ、図１１Ａ、および図１１Ｂは、上記第１のコンテンツ上でのジェスチャーを含むユーザ対話により提供される第１のコンテンツ３０および第２のコンテンツ４０を有する呼吸システムのディスプレイのＧＵＩの一部のさまざまな例の概略図である。
【００６２】
図５Ａには、第１のコンテンツ３０が図示される。図５Ａの例で図示される第１のコンテンツ３０は、図４Ａに図示されるものとは異なる画面ビューにおける換気方針インジケータを含む。図４Ａの図と同様に、タップ＆ホールジェスチャー３５が図５Ａに図示される。傾向要素５１は、数回の呼吸サイクル（反対に、実時間曲線６０として表示されている）より長い選択可能な時間長さにわたる１つ以上の換気パラメータについての曲線を含む。第１のコンテンツ３０において、時間長さは１０分であり、すなわち、例に示されているように、１７．２０から１７．３０の間である。
【００６３】
図４Ａから図４Ｃの例のように、入力は、入力の正確な画面位置に対して耐性のあるユーザ入力により第２のコンテンツに直感的に関連付けられる。
【００６４】
図５Ｂには、図５Ａに図示される第１のコンテンツ３０からのアクセスによる第２のコンテンツ４０が図示される。
【００６５】
傾向要素５１についての異なる時間長さを選択するためのボタン５２が提供される。ボタン５２を選択すると、ユーザは、スライダ、＋／−または上下ボタン、または、番号が選択可能な数値フィールドなどの好適な要素により設定を変更してもよい。承認により、更新された値が第２のコンテンツに転送される。図６Ｂの例では、傾向要素５１の選択可能な時間長さは、図６Ａに示される初めの１０分間隔から３０分に変更される。本例では、同じ時間長さが、複数の傾向曲線について選択される。他の例では、１つ以上の複数の傾向曲線について、個々の時間長さが選択されてもよい（図示せず）。
【００６６】
図６Ａには、第１のコンテンツ３０が図示される。本例では、第１のコンテンツ３０は曲線６０を含む。先の例のように、入力は、入力の正確な画面位置に対して耐性のあるユーザ入力により第２のコンテンツと直感的に関連付けられる。本例では、ユーザ入力は、曲線の線上のどこかまたはこれに隣接して受付けられてもよい。
【００６７】
図６Ｂには、図６Ａに図示される第１のコンテンツ３０からのアクセスによる第２のコンテンツ４０が図示される。第２のコンテンツは、上記のように、タップ＆ホールドジェスチャーによりアクセスされる第１のコンテンツのビュー設定を調整するための編集モードである。たとえば、曲線６０の範囲６１は、選択されるとき、たとえば、＋／−入力要素など（図示せず）を介して、調整のために選択可能である。図６Ｂに図示される例における第２のコンテンツ４０には、１つ以上のソフトボタン４７が提供される。例に図示されるソフトボタンは、ＧＵＩに含まれるある曲線を追加または除去するための追加／除去ボタンである。
【００６８】
図７Ａには、第１のコンテンツ３０が図示される。本例では、第１のコンテンツ３０は、曲線６０およびループ７０を含む。先の例のように、入力は、入力の正確な画面位置に対して耐性のあるユーザ入力により第２のコンテンツと直感的に関連付けられる。
【００６９】
図７Ｂには、図７Ａに図示される第１のコンテンツ３０からのアクセスによる第２のコンテンツ４０が図示される。第２のコンテンツは、上記のようなタップ＆ホールドジェスチャーによりアクセスされる第１のコンテンツのビュー設定を調整するための編集モードである。本例における編集モードは、曲線６０およびループ７０の編集のためである。たとえば、曲線６０の範囲６１が調整のために選択可能である。図６Ｂに図示される例のように、第２のコンテンツ４０には１つ以上のソフトボタン４７が提供される。１つ以上のループ７０についてのビュー設定を編集するためのボタン７１などの入力要素が設けられてもよい。
【００７０】
図８Ａには、第１のコンテンツ３０が図示される。本例では、第１のコンテンツ３０は、曲線６０を含む。先の例のように、入力は、入力の正確な画面位置に対して耐性のあるユーザ入力により第２のコンテンツと直感的に関連付けられる。ここでは、第２のコンテンツは、タップジェスチャーを介してアクセスされる。
【００７１】
図８Ｂには、図８Ａに図示される第１のコンテンツ３０からのアクセスによる第２のコンテンツ４０が図示される。第２のコンテンツは、曲線６０の掃引速度を調整するための編集モードである。現在の掃引速度を図示するためのボタン６３が設けられる。ボタン６３は、オペレータにより、たとえば、タップジェスチャーにより選択され、現在の掃引速度を別の値に変更してもよい。代替的に、または追加的に、掃引速度を変更するために調整要素６３が設けられてもよい。好適な要素は、たとえば、スライダ、＋／−ボタン（図示するようなもの）、上下ボタンなどである。
【００７２】
図９Ａには、第１のコンテンツ３０が図示される。本例では、第１のコンテンツ３０は、ここでは泡として図示される記号９０を含む。記号９０は、記号に関連するある画面領域を規定する輪郭線を有さない。記号９０はしたがって、アイコンと混乱されることはない。
【００７３】
記号９０においてまたはこの上をタッピングすることにより、第２のコンテンツがタッチスクリーン上での表示のために選択される。先の例のように、入力は、入力の正確な画面位置に対して耐性のあるユーザ入力により第２のコンテンツと直感的に関連付けられる。
【００７４】
図９Ｂには、図９Ａに図示された第１のコンテンツ３０からのアクセスによる第２のコンテンツ４０が図示される。第２のコンテンツ４０においては、記号９０に関連する情報要素９１、たとえば、記号９０に関連するある機能が作動されるまたは作動停止されることの可能なモードが提供される。
【００７５】
例に図示され、図中に泡として示される記号９０は、呼吸システム１における呼吸回路のリーク補償に関連してもよい。これは、図９Ｂの図からも理解される。泡の記号は、特定のジェスチャーを介したユーザ入力が記号において行なわれ、第２のコンテンツ４０へのアクセスが得られるとき、リーク補償の調整が泡記号に関連するという明確な直接的情報を与えない。
【００７６】
記号の他の例は、上記の特定の泡の記号以外の抽象的な記号を含んでもよい。たとえば、例としては、カテーテル用の記号、または電極用の記号、または電極を有するカテーテル用の記号が含まれる。たとえば、記号は、換気の神経調節補助換気（ＮＡＶＡ）モードに関連する第１の画面領域３１において示されてもよい。これは、患者のＥｄｉ信号、すなわち、横隔膜の電気的活動に比例しかつ同期して、換気補助を提供する換気のモードである。Ｅｄｉは、たとえば、食道測定カテーテルを用いて測定される。たとえば、電極を有するカテーテル用の記号、またはＥｄｉ信号の曲線、またはＥｄｉ信号測定用の計量上での予め規定されたジェスチャー（ホールド部分時間しきい値を有するタップ＆ホールドなど）により、第２のコンテンツ４０が入力されてもよい。第２のコンテンツは、ＮＡＶＡモードに関連する、カテーテルの位置付け、電極の選択、測定操作に関連してもよい。横隔膜ＥＭＧ（Ｅｄｉ）の他に、記号についての他の例としては、呼吸と同期する他の呼吸系生体電気信号および筋肉信号用の記号などが含まれる。
【００７７】
図１０Ａには、第１のコンテンツ３０の一例が図示される。本例では、第１のコンテンツ３０は、特定の換気パラメータについての計量フィールド８０を含む。計量フィールド８０は、本例では、警告状況にあり、たとえば、警告状況をオペレータに知らせるために注意を促す背景色、および／または点滅などを有する。先の例のように、入力は、計量フィールド８０における入力の正確な画面位置に対する耐性のあるユーザ入力により第２のコンテンツと直感的に対応付けられる。
【００７８】
図１０Ｂには、図１０Ａに図示される第１のコンテンツ３０からのアクセスによる第２のコンテンツ４０が図示される。第２のコンテンツ４０は、計量フィールド８０の特定の換気パラメータについての警告限界値についての調整要素を含む。このような調整要素は、下限および／または上限警戒限界値を調整するためのスライドバー８１を含んでもよい。さらに、スライダ、＋／−ボタン８２、上下ボタンなどが設けられてもよい。承認ボタン８３は、調整要素を介して行なわれた調整を受付けることを可能にする。
【００７９】
図１１Ａには、第１のコンテンツ３０の一例が図示される。本例では、第１のコンテンツ３０は、状態フィールド９５を含む。状態フィールド９５は、たとえば、患者データ、患者タイプインジケータ、日付、電池充電状態などのためのフィールドを含んでもよい。先の例のように、入力は、状態フィールド９５における入力の正確な画面位置に対する耐性のあるユーザ入力により第２のコンテンツと直感的に対応付けられる。
【００８０】
図１１Ｂは、図１１Ａに図示される第１のコンテンツ３０からのアクセスによる第２のコンテンツ４０が図示される。患者データを入力または調整するための編集フィールド９６が設けられる。新しい患者が換気され、古い患者データが削除されることを選択するために、新しい患者ボタン９７が設けられる。
【００８１】
例に図示されるように、第２のコンテンツ４０は、第１のコンテンツ３０に少なくとも一部が重ねられてまたはこれに隣接して提供されてもよい。
【００８２】
第２のコンテンツ４０は、第１のコンテンツ３０の少なくとも一部を含んでもよい。第２のコンテンツ４０はさらに、第２のコンテンツを含む領域の周りに枠４８を含んでもよい。たとえば、図４Ｂ、図５Ｂ、図６Ｂ、図７Ｂおよび図１０Ｂを参照。枠４８により、オペレータは、呼吸装置の異なる操作モードが第１のコンテンツから入力されたことを容易に識別できる。枠４８はさらに、第２のコンテンツ４０を残りの画面部分から画定する助けをすることにより、ＧＵＩの異なる部分を離れたままにする。
【００８３】
第１のコンテンツが表示される第１の画面位置３１は、タッチスクリーンの全表示領域のサブ領域であってもよい。サブ領域は、ループおよび／または波形が表示される表示領域であってもよい。サブ領域は、代替的にまたは追加的に、１つ以上の計量フィールドを含んでもよい。
【００８４】
ある例では、第１の画面位置３１は、タッチスクリーンの全表示領域を含んでもよい。このある例では、第２のコンテンツ４０にアクセスするためには、画面の任意の部分上でジェスチャー３５を行なえば十分である。ここでも、それはタッチスクリーンの第１のコンテンツ３０に依存する。たとえば、第１のコンテンツ３０は、いわゆる「ファミリービュー」であってもよく、これは、表示領域の大部分を包含する背景画像を含む。これは、ＰＣＴ／ＥＰ２０１２／０６１９０１に詳述されている。操作パラメータおよび計量は、同じファミリービューに表示されるが、臨床専門家ビューと比較して限定された数で表示される。換気は、ファミリービュー中は変わらないままであり、これは、非臨床人が呼吸装置を取扱うときに特に有利である。なぜなら、計量、パラメータ曲線、および二次ユーザが十分に理解できない他の臨床詳細のみを示す臨床ビューよりもストレスが少ないためである。
【００８５】
臨床オペレータが、ファミリービューなどの特定のビューから、臨床専門家ビューなどの別のビューに迅速に切換えたいとき、オペレータは、ファミリービュー（など）中でタッチスクリーンを単純にタップすることによりこれを行えばよい。ＧＵＩは、このとき、たとえばファミリービューから臨床専門家ビューへと直接かつ即時にビューを変更する。臨床専門家ビューでは、複数の第１のコンテンツ３０が表示され、各々は、曲線、計量フィールド、換気方針インジケータ要素などのたとえば上記の例に明記したような、ジェスチャー依存性の異なる第２のコンテンツにつながる。
【００８６】
第２コンテンツ４０は、ボタン４６またはボタン４３などの、第１のコンテンツ３０に戻るためのアイコンおよび／またはソフトボタンを含んでもよい。
【００８７】
別の例は、表示され、かつ、ジェスチャー依存性の異なる第２のコンテンツにつながる第１のコンテンツ３０が、曲線、計量フィールド、換気方針インジケータ要素などの上記の例のいずれかを含むことである。その第１のコンテンツ３０の特定の第１の画面位置３１に触れると、ＧＵＩの異なる画面ビューまたはレイアウトへと切換えるためのプレビューモードにつながってもよい。処理ユニット４は、このとき、ディスプレイ３のディスプレイ領域上に、第２のコンテンツが、実際の切換え前、すなわち第２のコンテンツ４０内からの第２の操作モードの作動前に、第２の画面ビューまたは第２の操作モードのプレビューの形態で提供されるように、ディスプレイ３を制御するように構成される。このようなプレビューは、ＰＣＴ／ＥＰ２０１２／０６１９０１に記載されており、たとえば、その図８に示され、または、本出願と同じ出願人のＰＣＴ／ＥＰ２０１３／０５４１８０に記載されており、この文献は、さまざまな目的のために本明細書中に参照により援用される。プレビューモードは、ホールド部分の予め規定された時間長さのタップ＆ホールドジェスチャーにより入力されてもよい。第２のコンテンツ４０では、第２のコンテンツ４０でプレビューされている第２のビューに切換えるための受付ステップがタッチスクリーンで行なわれてもよい。
【００８８】
第１のコンテンツは、換気中に患者に提供される吸気酸素含有量値などの酸素含有量計量などの換気パラメータの計量を含んでもよい。タップ＆ホールドなどのジェスチャーにより、換気パラメータの機能または変化が少なくとも一時的に得られてもよい。たとえば、酸素含有量計量上でのタップ＆ホールドなどのジェスチャーにより、第２のコンテンツとして酸素増大機能インジケータ（図示せず）が提供されてもよい。酸素増大機能は、調整可能なＯ２％値を有する酸素放出へのアクセスを与える。第２のコンテンツでは、Ｏ２％値が好適な入力要素を介して選択されてもよい。代替的にまたは追加的に、第２のコンテンツがアクセスされたとき、酸素増大は、たとえば限定された回数の呼吸の間、患者に直接与えられてもよい。呼吸器の他の機能がこのようにアクセスされ、あるホールド時間しきい値に達した後に直接実行されてもよい。第２のコンテンツ４０は、たとえば、呼吸器の直接アクセスされ、実行された機能を迅速に中止することができる。Ｏ２増大以外の例は、第１のコンテンツ３０に依存する、一時的に増加されたＰＥＥＰレベル、換気停止、一時的に増加された呼吸頻度などであり、たとえば、それぞれＰＥＥＰ計量、患者の気体流曲線の停止部分、呼吸速度計量である。
【００８９】
さらなる例は、調整に関する換気モードへのアクセスである。たとえば、図５Ａの上部の右側の記号などの、たとえば特定の記号上またはこれにおいて行なわれるジェスチャーであり、このジェスチャーは好ましくは、第２のコンテンツにつながらない、これを示唆しない、またはこれに関連しない。代替的に、または追加的に、ジェスチャーは、たとえば、図５Ａの上部の左側のテキストなどのテキスト上またはこれにおいて行なわれてもよく、または、現在の換気の省略が行なわれてもよい。テキストは、アイコンまたはメニュー選択ではなく、従来ユーザ入力を一切可能にしない状態記述子である。代替的には、ジェスチャーは、たとえば、換気モード中の黒色または青色背景、たとえば、図５Ａに図示される上部と中央左側との間の画面領域などの単一色を有する背景など、近隣にコンテンツを有さないフィールド上で行なわれてもよい。異なるジェスチャーは異なる第２のコンテンツにつながってもよい。たとえば、このような第１の画面位置におけるタップは、現在の換気モードにおける呼吸装置の状態表示ウインドウにつながってもよい。同じ第１の画面位置でのタップ＆ホールドは、現在の換気モードの設定を調整するための制御モードのアクセスにつながってもよい。代替的に、または追加的に、異なる換気モードは、関連する第２のコンテンツにおいて選択されてもよい（図示せず）。
【００９０】
記号は、進行中の換気を停止するためなどの、呼吸装置の安全重大機能にアクセスするための制御インジケータであってもよい。
【００９１】
特定の実施形態を参照して上記に本発明を説明した。しかしながら、上記以外の実施形態も同様に本発明の範囲内で可能である。ハードウェアまたはソフトウェアによる方法を行なう上記と異なる方法ステップが発明の範囲内で設けられてもよい。発明の異なる特徴およびステップは、記載されたもの以外の組合せで組合されてもよい。発明の範囲は、添付の特許請求項によってのみ限定される。
【図１】
2015523641.tif 000003
【図２】
2015523641.tif 000004
【図３】
2015523641.tif 000005
【図４Ｃ】
2015523641.tif 000006
【図１０Ｂ】
2015523641.tif 000007
【図１１Ａ】
2015523641.tif 000008
【図４Ａ】
2015523641.tif 000009
【図４Ｂ】
2015523641.tif 000010
【図５Ａ】
2015523641.tif 000011
【図５Ｂ】
2015523641.tif 000012
【図６Ａ】
2015523641.tif 000013
【図６Ｂ】
2015523641.tif 000014
【図７Ａ】
2015523641.tif 000015
【図７Ｂ】
2015523641.tif 000016
【図８Ａ】
2015523641.tif 000017
【図８Ｂ】
2015523641.tif 000018
【図９Ａ】
2015523641.tif 000019
【図９Ｂ】
2015523641.tif 000020
【図１０Ａ】
2015523641.tif 000021
【図１１Ｂ】
2015523641.tif 000022
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
システムであって、前記システムは、呼吸装置と、ユーザの前記呼吸装置との対話のためのタッチスクリーンと、前記タッチスクリーンに動作上接続された処理ユニットとを含み、前記処理ユニットは、
前記タッチスクリーンの第１の画面位置において少なくとも第１のコンテンツを表示し、
前記第１の画面位置における１つ以上のジェスチャーからなるジェスチャーを含むユーザ入力を受信し、
前記ジェスチャーおよび前記第１のコンテンツに依存して前記第１のコンテンツに関連する第２のコンテンツを選択し、
前記第１の画面位置を少なくとも一部含む画面位置において前記タッチスクリーンに前記第２のコンテンツを提供するように構成され、
前記第１のコンテンツは、前記タッチスクリーン上でのユーザ選択により前記第２のコンテンツを作動するように構成されたアイコン、ソフトボタンまたはメニューを含むリストに含まれる表示などの前記第２のコンテンツの表示を有さない、システム。
【請求項２】
前記ジェスチャーは、タップ＆ホールドジェスチャーであり、前記処理ユニットは、前記タップ＆ホールドジェスチャーのホールド時間部分が予め規定された時間長さのしきい値を超えると、前記第２のコンテンツを提供するように構成された、請求項１に記載のシステム。
【請求項３】
前記しきい値は、前記第１のコンテンツに依存する、請求項２に記載のシステム。
【請求項４】
前記処理ユニットは、前記ホールド時間中、経過したホールド時間および前記しきい値に達するまでの時間を図示する視覚的フィードバックを前記ユーザに提供するように構成された、請求項２または３に記載のシステム。
【請求項５】
前記処理ユニットは、前記しきい値を超えたとき、安全重大機能へのユーザのアクセスを提供するように構成された、請求項４または５に記載のシステム。
【請求項６】
前記タッチスクリーンに隣接する領域は、前記第１のコンテンツに関連付けられたボタンを有さない、および／または、少なくとも前記第１の画面位置は、ソフトボタンがない、請求項１から５のいずれか１項に記載のシステム。
【請求項７】
前記処理ユニットは、前記ユーザによる前記第２のコンテンツを表示する承認により、前記第２のコンテンツを提供するように構成された、請求項１から６のいずれか１項に記載のシステム。
【請求項８】
前記ジェスチャーは、タップジェスチャーである、請求項１に記載のシステム。
【請求項９】
前記第１のコンテンツは、
換気方針インジケータ、
換気パラメータの曲線、
通常操作中の換気パラメータの計量、
換気パラメータの警告限界値を越えたときの換気パラメータの計量、
Ｏ２放出機能インジケータ（１００％Ｏ２）、
Ｏ２増大機能インジケータ（調整可能Ｏ２％）、
進行中の換気を停止させるためなどの前記呼吸装置の安全重大機能のための制御インジケータ、および／または、
泡の記号などの記号、
からなるリストに含まれる、請求項１から８のいずれか１項に記載のシステム。
【請求項１０】
前記第２のコンテンツは、
換気パラメータ、換気パラメータの曲線、または呼吸モードなどの前記呼吸装置の操作的パラメータを調整するためのグラフィカルインターフェイス、
少なくとも１つの換気パラメータについての短い傾向曲線、
目盛りのための調整モード、および／またはレイアウト、
警告限界値の調整のためのグラフィカルインターフェイス、
１つ以上の換気パラメータの少なくとも１つのグラフィカルループ、
各表示領域についての異なるユーザ対話モードでの前記操作的パラメータのユーザ変更のための少なくとも２つの表示領域を含む、前記呼吸装置の少なくとも１つの操作的パラメータの変更のためのグラフィカルインターフェイス、
からなるリストに含まれる、請求項１から９のいずれか１項に記載のシステム。
【請求項１１】
前記ジェスチャー、前記第１のコンテンツおよび前記第２のコンテンツは、
警告中のタップ、計量または曲線、警告調整、
タップ＆ホールド、曲線、前記曲線についての構成モード、
からなるリストに含まれる、請求項１から１０のいずれか１項に記載のシステム。
【請求項１２】
呼吸装置を内部制御する方法であって、前記呼吸装置は、ユーザの前記呼吸装置との対話のためのタッチスクリーンを有し、前記方法は、
前記タッチスクリーンの第１の画面位置において少なくとも第１のコンテンツを表示するステップと、
前記第１の画面位置における１つ以上のジェスチャーからなるジェスチャーを含むユーザ入力を受信するステップと、
前記ジェスチャーおよび前記第１のコンテンツに依存して、前記第１のコンテンツと異なり、かつ各ジェスチャー毎に異なる第２のコンテンツを選択するステップと、
前記タッチスクリーンに前記第２のコンテンツを表示するステップとを含み、
前記第１のコンテンツは、前記タッチスクリーンでのユーザ選択により、前記第２のコンテンツを作動するように構成されたアイコン、ソフトボタンまたはメニューからなるリストに含まれる表示などの前記第２のコンテンツの表示を有さない、方法。
【請求項１３】
前記ジェスチャーは、タップ＆ホールドジェスチャーであり、前記タップ＆ホールドジェスチャーのホールド時間部分が予め規定された時間長さのしきい値を超えると、前記第２のコンテンツを提供し、かつ、任意に、前記ホールド部分中、経過したホールド時間および前記しきい値に達するまでの時間を図示する視覚的フィードバックを前記ユーザに提供し、前記しきい値は、好ましくは前記第１のコンテンツに依存する、請求項１２に記載の方法。
【請求項１４】
前記しきい値を超えたとき、安全重大機能へのユーザアクセスを提供するステップを含む、請求項１３に記載の方法。
【請求項１５】
指令が格納されたコンピュータ読取可能記憶媒体であって、前記指令は、１つ以上のプロセッサにより実行されると、呼吸装置を含むシステムのタッチスクリーンを介してユーザ通信を提供するための操作を行ない、前記指令は、
前記タッチスクリーンの第１の画面位置において少なくとも第１のコンテンツを表示することと、
前記第１の画面位置における１つ以上のジェスチャーからなるジェスチャーを含むユーザ入力を検知することと、
前記ジェスチャーおよび前記第１のコンテンツに依存して、前記第１のコンテンツと異なり、かつ各ジェスチャー毎に異なる第２のコンテンツを選択することと、
前記タッチスクリーンに前記第２のコンテンツを提供することとを含み、
前記第１のコンテンツは、前記タッチスクリーンでのユーザ選択により、前記第２のコンテンツを作動するように構成されたアイコン、ソフトボタンまたはメニューからなるリストに含まれる表示などの前記第２のコンテンツの表示を有さない、コンピュータ読取可能記憶媒体。
【国際調査報告】
2015523641.tif 000023
2015523641.tif 000024